(57)【特許請求の範囲】
【請求項１】
液状の内容物を収納している容器本体の口部に装着する装着キャップによってポンプ機構が固定され、
先端側にノズル先端部を有して前記内容物を流通可能に形成してあるノズル本体を前記容器本体の中心軸線方向に沿って移動させることにより前記ポンプ機構を機能させて前記内容物を前記ノズル先端部から噴出させる注出器であって、
前記ノズル本体に指掛け操作用の操作部が設けてあると共に、前記操作部と前記ノズル先端部との間に、前記ノズル先端部の挿入量を規制するストッパーを備え、更に前記ノズル先端部に対して前記ストッパーの位置を移動させることにより前記ノズル先端部から前記ストッパーまでの距離を可変とする位置可変機構が設けてあり、
前記操作部がフランジ状の操作片であって、該操作片と前記ストッパーとが一体に形成してある、ことを特徴とする注出器。
【請求項２】
液状の内容物を収納している容器本体の口部に装着する装着キャップによってポンプ機構が固定され、
先端側にノズル先端部を有して前記内容物を流通可能に形成してあるノズル本体を前記容器本体の中心軸線方向に沿って移動させることにより前記ポンプ機構を機能させて前記内容物を前記ノズル先端部から噴出させる注出器であって、
前記ノズル本体に指掛け操作用の操作部が設けてあると共に、前記操作部と前記ノズル先端部との間で前記ノズル本体を囲むように配置され、前記ノズル先端部の挿入量を規制するストッパーを備え、更に前記ノズル先端部から前記ストッパーまでの距離を可変とする位置可変機構が設けてあり、
前記操作部がフランジ状の操作片であって、該操作片と前記ストッパーとは別体に形成してあり、
前記ストッパーは、第１分割体と、前記第１分割体とヒンジ部で接続されている第２分割体とを備え、前記ストッパーは、前記第１分割体と前記第２分割体とで前記ノズル本体を挟むことにより、前記ノズル本体を囲むように配置される、ことを特徴とする注出器。
【請求項３】
前記位置可変機構は、前記ノズル本体の外周壁と該外周壁に対向するように配置される前記ストッパーの内周壁とのそれぞれにネジ部を設けて互いに係合させたネジ構造である、ことを特徴とする請求項１又は２に記載の注出器。
【請求項４】
前記位置可変機構は、ノズル本体の外周壁上に長手方向に凹凸を繰り返して形成した線状凹凸部と、前記ストッパー側に設けた前記状凹凸部に係止する係止爪とによる係止構造である、ことを特徴とする請求項１又は２に記載の注出器。
【発明の詳細な説明】
【技術分野】
【０００１】
本願発明は、点鼻薬を投与するのに好適な注出器に関する。
【背景技術】
【０００２】
鼻孔を通して直接、患部に薬剤を供給する点鼻薬注出用の容器には、容器内の点鼻薬噴出用のノズルを備える注出器がセットされている。より詳細には、液状である点鼻薬を収納する容器本体の口部に、注出器が固定されて、点鼻薬注出用容器が構成されている。
そして、このような点鼻薬注出用容器で採用される注出器は、鼻孔内に挿入し易いように、先細りの外形形状とされた先端部を備えた長尺筒状の噴出ノズルを備えた形態が一般的である。これにより、ノズル先端部を鼻孔内の所望位置まで進入させて、患部に薬剤を供給できる。
【先行技術文献】
【特許文献】
【０００３】
【特許文献１】特開２００８−１３２４０６号公報
【発明の概要】
【発明が解決しようとする課題】
【０００４】
従来の点鼻薬注出用の注出器ではノズル部分の長さは一定であった。しかしながら、鼻孔の奥行き長さは個人差、年齢差があり、また鼻孔内での患部の位置も異なる。更には、医療現場で医療従事者が、点鼻薬注出用容器を用いて患者の鼻孔内に点鼻薬を供給するような場合もある。よって、点鼻薬注出器は先端が一定以上、鼻孔内に挿入しない工夫をした構造がよく、更に汎用性も考慮すると挿入量を適宜に調整できる使い勝手の良いものが望まれる。しかし、このような注出器が未だ提供されていないのが現状である。
【課題を解決するための手段】
【０００５】
よって、本発明の目的は、点鼻薬用として好適であり、ノズル先端部の挿入量を調整できる注出器を提供することである。
上記目的は、液状の内容物を収納している容器本体の口部に装着する装着キャップによってポンプ機構が固定され、
先端側にノズル先端部を有して前記内容物を流通可能に形成してあるノズル本体を前記容器本体の中心軸線方向に沿って移動させることにより前記ポンプ機構を機能させて前記内容物を前記ノズル先端部から噴出させる注出器であって、
前記ノズル本体に指掛け操作用の操作部が設けてあると共に、前記操作部と前記ノズル先端部との間に、前記ノズル先端部の挿入量を規制するストッパーを備え、更に前記ノズル先端部に対して前記ストッパーの位置を移動させることにより前記ノズル先端部から前記ストッパーまでの距離を可変とする位置可変機構が設けてあり、
前記操作部がフランジ状の操作片であって、該操作片と前記ストッパーとが一体に形成してある、ことを特徴とする注出器により達成される。
【０００６】
また上記目的は、液状の内容物を収納している容器本体の口部に装着する装着キャップによってポンプ機構が固定され、
先端側にノズル先端部を有して前記内容物を流通可能に形成してあるノズル本体を前記容器本体の中心軸線方向に沿って移動させることにより前記ポンプ機構を機能させて前記内容物を前記ノズル先端部から噴出させる注出器であって、
前記ノズル本体に指掛け操作用の操作部が設けてあると共に、前記操作部と前記ノズル先端部との間で前記ノズル本体を囲むように配置され、前記ノズル先端部の挿入量を規制するストッパーを備え、更に前記ノズル先端部から前記ストッパーまでの距離を可変とする位置可変機構が設けてあり、
前記操作部がフランジ状の操作片であって、該操作片と前記ストッパーとは別体に形成してあり、
前記ストッパーは、第１分割体と、前記第１分割体とヒンジ部で接続されている第２分割体とを備え、前記ストッパーは、前記第１分割体と前記第２分割体とで前記ノズル本体を挟むことにより、前記ノズル本体を囲むように配置される、ことを特徴とする注出器により達成される。
【０００８】
また、前記位置可変機構は、前記ノズル本体の外周壁と該外周壁に対向するように配置される前記ストッパーの内周壁とのそれぞれにネジ部を設けて互いに係合させたネジ構造とすることができる。
【０００９】
前記位置可変機構は、ノズル本体の外周壁上に長手方向に凹凸を繰り返して形成した線状凹凸部と、前記ストッパー側に設けた前記状凹凸部に係止する係止爪とによる係止構造とすることができる。
【発明の効果】
【００１０】
本発明による注出器は、ノズル先端部の挿入量を規制するストッパーを備え、このストッパーのノズル先端部からストッパーまでの距離を可変とする位置可変機構が設けてあるので、使用者の要求に応じて好みの長さに設定して内容物の注出ができる。このような注出器を点鼻薬注出用とすれば、使用者の鼻孔の状態に応じて挿入量を変更できる使い勝手のよい点鼻薬用の注出器となる。
【図面の簡単な説明】
【００１１】
【図１】本発明に係る注出器を、容器本体にセットして点鼻薬注出用容器を構成した場合について示している図である。
【図２】図１に示す注出器とは異なる注出器について示している図である。
【図３】図２に示した注出器に採用したストッパーついて示している図である。
【図４】図２に示した注出器に採用するのが好ましいストッパー構造例を示している図である。
【図５】図２に示す注出器とは異なる注出器を示している図である。
【図６】図５に示した注出器に採用したストッパーついて示している図である。
【図７】要部構成が確認し易いよう示したストッパーの外観斜視図である。
【図８】係止爪の形状を変更した変形構造について示す図である。
【図９】比較例としての注出器を示している図である。
【発明を実施するための形態】
【００１２】
以下、図面を参照して、本発明の好適な実施の形態を具体的に説明する。ここでは、本願発明を適用するのが好適である点鼻薬用の注出器、及びこれを組み付けて構成した点鼻薬注出用容器について説明する。
図１は、本発明に係る注出器を、容器本体にセットして点鼻薬注出用容器を構成した場合について示した図である。図１で、符号１は液状の内容物となる点鼻薬を収納する容器本体である。この容器本体１の上方に設けた口部１ａに注出器１０がセットされている。
【００１３】
注出器１０は、容器本体の口部１ａに装着される装着キャップ１１と、この装着キャップ１１に対して相対移動されるノズル本体１６とを備えて形成してある。
上記装着キャップ１１は、下側の大径部１１ａの上に、これより小さい小径部１１ｂを設けた円筒の段状構造とされており、大径部１１ａの内周壁に形成したネジ部１１ｎが口部１ａの外周壁に形成したネジ部１ｎと係合している。また、小径部１１ｂは、容器本体１の中心軸線ＣＬ方向でノズル本体１６の往復相対移動を可能とするスライド支持構造となっている。
【００１４】
上記装着キャップ１１の大径部１１ａ内には、ポンプ機構１２が垂下姿勢で配置されており、容器本体１内の点鼻薬ＮＤを吸引し加圧して上方へ送り出すように設計してある。このポンプ機構１２は従来公知の構造でよく内部構造の詳細説明は省略するが、下側に点鼻薬ＮＤを吸い上げるための吸引管１３を備えている。また、ポンプ機構１２内を貫通すると共に、ノズル本体１６側に至るように配置され、吸い上げた点鼻薬ＮＤをノズル本体１６側に導くステム１４が配置してある。そして、装着キャップ１１に固定されているシリンダー内に配置されたピストンが前記ステム１４を介して前記ノズル本体１６に接続されており、ノズル本体１６の押し込み及び復帰を繰り返す操作により、吸引管１３で吸い上げた点鼻薬ＮＤを、ノズル本体１６を介して噴出できるように形成してある。なお、ポンプ機構１２内には、ノズル本体１６の押し込み操作（後述する接近させる操作）がされたときに反力を発生させるコイルバネ１５が配置してある。
【００１５】
ノズル本体１６は、ノズル先端部１６ａから点鼻薬を噴出させるもので、点鼻薬を流通可能に形成してある長尺円筒状体とされ、容器本体１の中心軸線ＣＬ方向に沿って、装着キャップ１１に対して相対移動させることで上記ポンプ機構１２を機能させる。より具体的には、ノズル本体１６を装着キャップ１１に対して接近および遠離する操作を繰り返すことでポンプ機構１２を機能させて点鼻薬ＮＤを吸引、圧送する。
【００１６】
上記のような基本構造を備えた注出器１０は、下記で説明するよう特徴的な構成を更に備えている。
すなわち、ノズル本体１６には指掛け操作用の操作部としてフランジ状の操作片１７が設けてある。この操作片１７は使用者が点鼻薬注出用容器を使用するときに、親指を容器本体１の底部１ｂに当てながら、例えば人差し指及び中指を引っ掛けて、ノズル本体１６を手前に引く操作（ノズル本体１６を装着キャップ１１に接近させる操作）を行うために設けた構造体である。この操作片１７は少なくとも指を引っ掛けることが可能な構造であればよく、その形状は特に限定されない。
【００１７】
そして、上記操作片１７とノズル先端部１６ａとの間に、ノズル先端部の挿入量を規制するストッパー１８が設けてある。このストッパー１８は、点鼻薬注出用容器の使用者の鼻孔の入り口に当たり、それ以上にノズル先端部１６ａが鼻孔内に進入するのを防止するために設けた構造体である。
【００１８】
そして、図１で示す注出器１０は、このストッパー１８とノズル先端部１６ａからの距離を可変とする位置可変機構を備えているので、ノズル先端部の挿入量を任意に設定できる。図１で例示している位置可変機構について説明する。
ノズル本体１６のノズル先端部１６ａとは反対側（図１で、下側）となるノズル本体１６の基部１６ｂは拡径した円筒構造体に形成してある。この基部１６ｂが装着キャップ１１の小径部１１ｂの内壁に摺動可能に配置されることで、前述したようなノズル本体１６の往復移動の動作が可能となっている。
上記基部１６ｂの外側には、上記操作片１７と前記ストッパー１８とを一体に形成した複合構造体２０が配置してある。この複合構造体２０の下側は基部１６ｂと共に小径部１１ｂ内に収納されるようになっている。そして、複合構造体２０は本体円筒部２０ａの外側に突出するフランジ状の操作片１７及びストッパー１８が間隔をもって配置され、指が引っ掛かり易いように操作片１７の方が大きな外形形状に形成してある。
更に、位置可変機構として、前記ノズル本体１６側の基部１６ｂの外周壁と、この外周壁に対向するように配置される複合構造体２０の内周壁とのそれぞれにネジ部１６ｎとネジ部２０ｎが設けられ、これらが互いに係合してネジ構造が形成されている。
【００１９】
以上で説明した構成を備える注出器１０は、次ぎのように使用される。先ず、使用者が操作片１７を回転操作することで一体に形成してあるストッパー１８の位置をノズル本体１６の最適位置に定める。その後、ノズル先端部１６ａを鼻孔内に挿入するがストッパー１８により挿入規制されるので、ノズル先端部１６ａが挿入され過ぎるという状況の発生を確実に防止できる。
このように、本願発明によると、点鼻薬用として好適で、ノズル先端部の挿入量を調整できる注出器を提供でき、このような注出器を備えた点鼻薬注出用容器は使い勝手のよいものとなる。
【００２０】
更に、図を参照して、本発明に係る他の形態の注出器について説明する。なお、下記で説明する注出器について、図１で説明した同じ部位には同じ符号を付すことで重複する説明を省略し、相違点が明確となるように説明する。
図２は図１に示す注出器とは異なる注出器について示している図、また図３（ａ）は図２に示した注出器に採用したストッパーの平面図、図３（ｂ）はこのストッパーの側面での一部断面構成図である。更に、図４は図２に示した注出器に採用するのが好ましいストッパー構造例を示している図である。
【００２１】
図２で示す注出器１０は、操作片１７がノズル本体１６の基部１６ｂ側に一体に形成してあり、ストッパー１８は別体とされている。ノズル本体１６のノズル先端部１６ａ下端から基部１６ｂ間に外周壁にネジ部１６ｓが形成してある。そして、ストッパー１８は、円筒部１８ａとその先端側に一体に形成された環状のフランジ部１８ｆとにより形成され、円筒部１８ａの内周壁にはノズル本体１６のネジ部１６ｓと係合するネジ部１８ｓが形成されている。この例示構造では、ノズル本体１６のネジ部１６ｓとストッパー１８のネジ部１８ｓとにより、位置可変機構が構成されている。
【００２２】
以上説明した図２で例示する注出器１０は、次ぎのように使用される。先ず、使用者がストッパー１８のフランジ部１８ｆを回転操作することでストッパー１８の位置をノズル本体の最適位置に定める。その後、ノズル先端部１６ａを鼻孔内に挿入するがストッパー１８により挿入規制されるので、ノズル先端部１６ａが挿入され過ぎるという状況の発生を確実に防止できる。なお、図２の注出器１０は、操作片１７の位置が変動しないので、いつも同じ操作感で点鼻薬の注出を行える。
【００２３】
ところで、図２、そして図３で示した注出器１０で採用するストッパー１８の内径は、ノズル先端部１６ａの外径より小さく形成されている。よって、ストッパー１８を無意識に回転したような場合でも、ストッパー１８がノズル本体１６から離脱するような事態を防止できる。
図４は、ストッパー１８に適用するのが好ましい構造例を示した図である。このストッパー１８は、第１分割体１８−１と第２分割体１８−２とにより分割形成してあり、これらがヒンジ部１８ｈで接続してある。第１分割体１８−１には第１係止部となる係止爪１８ｐ−１が、また第２分割体１８−２には第２係止部となる係止突起１８ｐ−２が設けてある。係止爪１８ｐ−１が係止突起１８ｐ−２に係止されて、正規の形状のストッパー１８となる。このような構造のストッパー１８であれば、ノズル本体１６を装着キャップ１１側に組付けした後でも、ストッパー１８を簡単にセットできる。なお、このように係止する構造を採用せず第１分割体１８−１と第２分割体１８−２と接着剤によって接着してもよい。この場合は係止構造を設ける必要がないので、第１分割体１８−１及び第２分割体１８−２を単純な構造にできる。
ただし、図４で例示する半分割構成としてあるストッパー１８は好適構造の例示である。ストッパー１８は、図３で示しているような一体型で形成してもよい。この場合は、予めノズル本体１６のネジ部１６ｓに、ネジ部１８ｓを係合させストッパー１８をセットとしてから、その後の注出器１０の組付け作業をすればよい。
【００２４】
更に、図５から図７を参照して、本発明に係る他の形態の注出器について説明する。図５は図２に示す注出器とは異なる注出器を示している図、また図６（ａ）は図５に示した注出器に採用したストッパーの底面図、図６（ｂ）は（ａ）におけるｂ−ｂ矢視での一部面構成図、図６（ｃ）は（ａ）におけるｃ−ｃ矢視での半断面構成図である。更に、図７は要部構成が確認し易いよう示したストッパーの外観斜視図である。
上述した注出器の場合は、ストッパー１８のノズル先端部１６ａからの距離を可変とする位置可変機構としてネジ構造が採用されていた。図５で示す注出器１０では、これとは異なる位置可変機構が採用されている。すなわち、ノズル本体１６の外周壁上に長手方向（中心軸線ＣＬ方向）に沿って凹凸を繰り返して形成してある線状凹凸部１６ｒと、この線状凹凸部１６ｒに係止するストッパー１８側に設けた係止爪１９ａとによる係止構造により位置可変機構が構成されている。
【００２５】
ストッパー１８について示した図６、図７を参照すると、ノズル本体１６側に形成される線状凹凸部１６ｒは、中心軸線ＣＬを挟んで対向するように一対として設けてある。よって、図６（ａ）で示すようにストッパー１８に設ける係止爪１９ａも、対向した一組となっている。
なお、ノズル本体１６について、線状に形成される２本の線状凹凸部１６ｒの間には中心軸線ＣＬ方向に延在する長溝が形成してある。そして、ストッパー１８の内壁には、この長溝に嵌合する突起１８ｐｒが形成してある。これによりストッパー１８は回転規制されつつ、ノズル本体１６に沿ってスライドするようになっている。ただし、上記のような長溝は必須の構成ではなく、形成しなくてもよい。また、ここで示すストッパー１８について、先に図４で説明したのと同様に、図６中で示している仮想線ＬＮで半分割した構造とし、接着或いは係止構造で一体に形成することができる。
【００２６】
ところで、上記した係止構造をなす係止爪１９ａは、ストッパー１８の円筒部１８ａに設けた開口１８ｈｌの内部に配置したブロック体１９の一部である。このブロック体１９は概ねの外形形状が直方体で、その側面から外側に向けて突出する支軸１９ｐｔを介して開口１８ｈｌの内部で支持されている。そのため、ブロック体１９は開口１８ｈｌ内で回動するシーソー状の構造となる。よって、ブロック体１９の外表面側に設けた押圧操作用の突起部１９ｐｒを使用者が指で押込むと、反対側に形成してある係止爪１９ａが凹凸部１６ｒから離脱する。これによりストッパー１８をノズル本体１６に対して移動させることができる。そして、任意の位置で再び、係止爪１９ａを凹凸部１６ｒに係止すれば位置決めできる。
このような構造はストッパー１８を樹脂材で一体成形しておけば、支軸１９ｐｔが支点として機能すると共に、捩れを戻す反力発生部にもなるので、使用者が突起部１９ｐｒから指を離して押込みを止めると、係止爪１９ａを凹凸部１６ｒに再び係止させることができる。
【００２７】
上記で示している係止爪１９ａの形状は、概ね直方体型であってノズル本体１６側に設けた線状凹凸部１６ｒの凹部にちょうど嵌合する形状となっている。よって、係止爪１９ａが係止されている際には、ストッパー１８を容器本体１側へ押す力、そして逆にノズル先端部１６ａ側に引く力が作用しても確実に位置決めされている。
上記に対して、図８は係止爪１９ａの形状を変更したブロック体１９について示す図である。このブロック体１９に設けた係止爪１９ａの先端当接側（フランジ部１８ｆ側）の下側には先端側から手前側（容器本体１側）に向かって下向きに傾斜するテーパー面１９ｔａが形成してある。
【００２８】
このようなテーパー面１９ｔａを備えた係止爪１９ａであれば、ストッパー１８のフランジ部１８ｆを指で挟持してノズル先端部１６ａ側に引くような操作をすると、ストッパー１８の移動が可能となる。より詳細には、テーパー面１９ｔａが設けてあるので、一定以上の力でストッパー１８をノズル先端部１６ａ側に引くと、テーパー面１９ｔａとその前側に当接している線状凹凸部１６ｒとが滑りを発生せて、ブロック体１９が支軸１９ｐｔを中心に矢印ＡＲに回動して頭を上げる状態になる。これにより、ブロック体１９の係止爪１９ａが、線状凹凸部１６ｒの１つの凹部を乗り越えるので、ストッパー１８がクリック感を発生させながら移動させることができる。
しかも、テーパー面１９ｔａを設けた側と反対側の背面１９ｂｃは、前述した場合と同様に垂直な面であるので、いわゆるラチェット構造を含む位置可変機構となってストッパー１８を押す返す力に対しては確実に位置決めできる。
【００２９】
図９は、比較例としての注出器を示している図である。
図９の注出器１０は、装着キャップ１１上にキャップ状のヘッド部１６ａｄがセットされ、このヘッド部１６ａｄを装着キャップに対して接近および遠離する操作して注出するように構成してある。このヘッド部１６ａｄは、前述した実施例と構成を対比すると、ノズル本体１６の基部側の外形形状を変形した構造とみることができ、ヘッド部１６ａｄの天壁部１６ｔｐが指掛けされる操作部に対応している。なお、ヘッド部１６ａｄ内は不図示であるが点鼻薬を流通させる液通路が配備してある。
【００３０】
そして、前記ヘッド部１６ａｄの側面１６ｓａから、ノズル先端部１６ａを含むノズル本体１６の残り部分が延在してあると共に、このノズル本体１６の残り部分をＬ字状に曲げて、かつ前記ヘッド部の側面１６ｓａに対して首振り可能な接続部１６ｃｎを設けて矢印ＣＲで示すように回動可能に形成してある。
なお、図９ではノズル本体１６に設けた位置可変機構は、図５と同様の係止構造であるが、もちろん図２で示したネジ構造としてもよい。
【００３１】
図９に示す注出器１０も、ノズル先端部１６ａを鼻孔内に挿入する際にストッパー１８により挿入規制されるので、ノズル先端部１６ａが挿入され過ぎるという状況の発生を防止できる。
そして、図９の注出器１０は、ノズル先端部１６ａ側が回動するので、更に使い勝手のよい注出器となる。また、ノズル先端部１６ａが容器本体１の側部に位置するように回動させれば、小さく折り畳んだ状態としコンパクト化できる。
【００３２】
以上説明したところから、明らかなように、本発明によれば点鼻薬用として好適で、ノズル先端部の挿入量を調整できる注出器を提供できる。また、このような注出器を備える容器は、安全で使い勝手の良い点鼻薬注出用容器として信用を得ることができる。
ただし、本発明による注出器を点鼻薬用注出用とする用途は好適な一例であり、他の液状の内容物の注出器として用いてもよい。
【産業上の利用可能性】
【００３３】
本発明によれば、ストッパーの位置が調整できるので、使用者の鼻孔の状態に応じて挿入量を変更できる使い勝手のよい点鼻薬用の注出器を提供できる。このような注出器を備える容器は点鼻薬注出用容器として広く採用され得る。
【符号の説明】
【００３４】
１                    容器本体
１ａ                  口部
１０                  注出器
１１                  装着キャップ
１２                  ポンプ機構
１６                  ノズル本体
１６ａ                ノズル先端部
１６ｎ                ネジ部（ネジ構造  位置可変機構）
１６ｓ                ネジ部（ネジ構造  位置可変機構）
１６ｒ                線状凹凸部（係止構造  位置可変機構）
１６ａｄ              ヘッド部
１７                  操作片（操作部）
１８                  ストッパー
１８ｓ                ネジ部（ネジ構造  位置可変機構）
１９                  ブロック体
１９ａ                係止爪（係止構造  位置可変機構）
２０                  複合構造体
２０ｎ                ネジ部（ネジ構造  位置可変機構）
ＮＤ                  点鼻薬（液状の内容物）
ＣＬ                  中心軸線
【図１】
0006001235.tif 000002
【図２】
0006001235.tif 000003
【図３】
0006001235.tif 000004
【図４】
0006001235.tif 000005
【図５】
0006001235.tif 000006
【図６】
0006001235.tif 000007
【図７】
0006001235.tif 000008
【図８】
0006001235.tif 000009
【図９】
0006001235.tif 000010